(57)【要約】【課題】押圧をかけるスペースを確保した状態で、複数のコネクターを保持して一体化することができるコネクターホルダーを提供する。【解決手段】複数の電線側コネクター４１を保持して一体化するコネクターホルダー１０であって、下面側に形成され、電線側コネクター４１の電線側端部が嵌合される複数の保持部を具備し、保持部は、保持する電線側コネクター４１のピン配列方向に間隔をおいて配置され、保持部に挟まれた上面が、押圧部１４として挿入方向に対して垂直な平面に形成されている。【選択図】図１
2019204688.tif 000002
【特許請求の範囲】
【請求項１】
複数の電線側コネクターを保持して一体化するコネクターホルダーであって、
下面側に形成され、前記電線側コネクターの電線側端部が嵌合される複数の保持部を具備し、
前記保持部は、保持する前記電線側コネクターのピン配列方向に間隔をおいて配置され、前記保持部に挟まれた上面が、押圧部として挿入方向に対して垂直な平面に形成されていることを特徴とするコネクターホルダー。
【請求項２】
同一種類の前記電線側コネクターを保持する２か所の前記保持部を具備し、
前記押圧部の中央がピン配列方向の重心であることを特徴とする請求項１記載のコネクターホルダー。
【請求項３】
複数の前記保持部として、第１電線側コネクターを保持する第１保持部と、前記第１電線側コネクターとは重さが異なる第２電線側コネクターを保持する第２保持部とを具備することを特徴とする請求項１記載のコネクターホルダー。
【請求項４】
前記第１保持部に前記第１電線側コネクターを、前記第２保持部に前記第２電線側コネクターをそれぞれ保持した状態で、前記押圧部の中央がピン配列方向の重心となるように重量分布が設定されていることを特徴とする請求項３記載のコネクターホルダー。
【請求項５】
前記電線側コネクターを保持する３か所以上の前記保持部を具備し、
各前記保持部に前記電線側コネクターをそれぞれ保持した状態で、前記押圧部の中央がピン配列方向の重心となるように重量分布が設定されていることを特徴とする請求項３記載のコネクターホルダー。
【請求項６】
挿入方向の厚さによって、前記押圧部の中央がピン配列方向の重心となるように重量分布が設定されていることを特徴とする請求項４又は５記載のコネクターホルダー。
【請求項７】
前記押圧部には、前記押圧部を押圧するロボットハンドの先端が嵌り込む凹部が形成されていることを特徴とする請求項１乃至６のいずれかに記載のコネクターホルダー。
【発明の詳細な説明】
【技術分野】
【０００１】
本発明は、本発明は、複数のコネクターを保持して一体化するコネクターホルダーに関する。
【背景技術】
【０００２】
複写機、複合機等の画像形成装置は、数多くの基板を備え、基板間や基板と他のユニット間を接続する多くの電線が使用されている。一般的に、電線は、基板側コネクターと電線側コネクターとの接続によって行われるが、近年は、多極化のコネクターが増え、一度に多数の電線が接続可能になっている。
【０００３】
電線側コネクターの多極化に際し、各々１列の接触子を有する１対のコネクターを使用して２列の接触子を有するコネクターを受容保持するコネクターホルダーが提案されている（例えば、特許文献１参照）。
【先行技術文献】
【特許文献】
【０００４】
【特許文献１】実開平０２−１０６６８８号公報
【特許文献２】特開２０１４−１２０４８３号公報
【発明の概要】
【発明が解決しようとする課題】
【０００５】
電線側コネクターが多極になるにつれて、基板側コネクターへの嵌合時に押圧が必要になる。しかし、従来技術では、コネクターの中央部に電線があるため、コネクタのサイド部に力を加えて挿入することになり、十分に押圧できないという問題点があった。
【０００６】
なお、特許文献２のように、中央部に押圧をかけるスペースがある特別な仕様のコネクターを使用すれば問題ないが、汎用のコネクターを使用することができず、高価なものになってしまう。
【０００７】
本発明は、上記問題点を鑑みてなされたものであり、その目的とするところは、押圧をかけるスペースを確保した状態で、複数のコネクターを保持して一体化することができるコネクターホルダーを提供することを目的とする。
【課題を解決するための手段】
【０００８】
本発明のコネクターホルダーは、複数の電線側コネクターを保持して一体化するコネクターホルダーであって、下面側に形成され、前記電線側コネクターの電線側端部が嵌合される複数の保持部を具備し、前記保持部は、保持する前記電線側コネクターのピン配列方向に間隔をおいて配置され、前記保持部に挟まれた上面が、押圧部として挿入方向に対して垂直な平面に形成されていることを特徴とする。
【発明の効果】
【０００９】
本発明によれば、押圧をかけるスペースとして押圧部を確保した状態で、複数の電線側コネクターを保持して一体化することができるという効果を奏する。
【図面の簡単な説明】
【００１０】
【図１】本発明に係るコネクターホルダーの第１の実施の形態の概略構成を示す斜視図である。
【図２】図１に示すコネクターホルダーの上面図、側面図及び下面図である。
【図３】本発明に係るコネクターホルダーの第２の実施の形態の概略構成を示す斜視図である。
【図４】図３に示すコネクターホルダーの上面図、側面図及び下面図である。
【図５】本発明に係るコネクターホルダーの第３の実施の形態の概略構成を示す斜視図である。
【図６】図５に示すコネクターホルダーの上面図、側面図及び下面図である。
【図７】図１、図３及び図５に示す押圧部に凹部を形成した例を示す図である。
【発明を実施するための形態】
【００１１】
以下、図を参照して本発明の実施の形態を詳細に説明する。なお、以下の実施形態において、同一の構成には、同一の符号を付し、適宜説明を省略する。
【００１２】
（第１の実施の形態）
第１の実施の形態のコネクターホルダー１０は、図１及び図２を参照すると、同一の形状の保持部１１を２か所に備え、２か所に保持部１１に同一種類の電線側コネクター４１を２個保持して一体化する。コネクターホルダー１０は、硬度が高く、透明性も高いプラスチック（例えば、アクリル、ポリカーボナート）で構成される。図１に示す電線側コネクター４１は、９本の電線Ｗが接続された１列９ピン構成である。
【００１３】
図２において、（ａ）はコネクターホルダー１０を挿入方向上流側からみた上面図であり、（ｂ）はコネクターホルダー１０を挿入方向及びピン配列方向と直交する幅方向から見た側面図であり、（ｃ）はコネクターホルダー１０を挿入方向下流側からみた下面図である。
【００１４】
保持部１１は、下面側に形成され、電線側コネクター４１の電線Ｗが接続されている電線側端部が、挿入方向下流側から嵌り込む嵌合孔である。保持部１１の底は、電線側端部の周縁に当接する額部１２と、電線Ｗが通る開口１３とで構成されている。
【００１５】
保持部１１は、保持する電線側コネクター４１のピン配列方向に間隔をおいて配置され、保持部１１に挟まれた上面が、挿入方向に対して垂直な平面からなる押圧部１４となっている。
【００１６】
これにより、２か所の保持部１１にそれぞれ保持した電線側コネクター４１の間に位置する押圧部１４に押圧力を加えることで、２個の電線側コネクター４１を図示しない２個の基板側コネクターに同時に挿入することができ、作業性の向上となる。なお、押圧部１４を挿入方向に対して垂直な平面で構成することで、ロボットを利用しての挿入に際して、力を加えやすくなっている。
【００１７】
また、電線側コネクター４１を保持していない状態において、コネクターホルダー１０の重量分布は、図２（ａ）に示すように、ピン配列方向の重心Ｇ０がピン配列方向の中央に設定されている。が設定されている。従って、２か所の保持部１１に同一種類の電線側コネクター４１を保持した状態で、押圧部１４の中央がピン配列方向の重心Ｇとなる。これにより、押圧部１４に加えた押圧力を、２か所の保持部１１にそれぞれ保持した電線側コネクター４１に対してそれぞれ均等に押圧力を作用させることができる。
【００１８】
（第２の実施の形態）
第２の実施の形態のコネクターホルダー２０は、図３及び図４を参照すると、保持部１１と、保持部１１とは異なる形状の保持部１１ａとを備え、保持部１１に電線側コネクター４１を、保持部１１ａに電線側コネクター４１とは重さが異なる電線側コネクター４２をそれぞれ保持して一体化する。コネクターホルダー２０は、例えば、硬度の高いスチロールやアクリル等のプラスチックで構成される。図３に示す電線側コネクター４２は、１列９ピン構成の電線側コネクター４１よりも軽い、６本の電線Ｗが接続された１列６ピン構成である。
【００１９】
図４において、（ａ）はコネクターホルダー２０を挿入方向上流側からみた上面図であり、（ｂ）はコネクターホルダー２０を挿入方向及びピン配列方向と直交する幅方向から見た側面図であり、（ｃ）はコネクターホルダー２０を挿入方向下流側からみた下面図である。
【００２０】
保持部１１及び保持部１１ａは、下面側に形成され、電線側コネクター４１、４２の電線Ｗが接続されている電線側端部が、挿入方向下流側から嵌り込む嵌合孔である。保持部１１及び保持部１１ａの底は、電線側端部の周縁に当接する額部１２と、電線Ｗが通る開口１３とで構成されている。
【００２１】
保持部１１と保持部１１ａとは、ピン配列方向に間隔をおいて配置され、保持部１１と保持部１１ａとに挟まれた上面が、挿入方向に対して垂直な平面からなる押圧部１４となっている。
【００２２】
これにより、保持部１１に保持した電線側コネクター４１と保持部１１ａに保持した電線側コネクター４２との間に位置する押圧部１４に押圧力を加えることで、２個の電線側コネクター４１、４２を図示しない２個の基板側コネクターに同時に挿入することができ、作業性の向上となる。なお、押圧部１４を挿入方向に対して垂直な平面で構成することで、ロボットを利用しての挿入に際して、力を加えやすくなっている。
【００２３】
また、電線側コネクター４１、４２を保持していない状態において、コネクターホルダー２０の重量分布は、電線側コネクター４１よりも電線側コネクター４２が軽いため、図４（ａ）に示すように、ピン配列方向の重心Ｇ０がピン配列方向の中央から保持部１１ａよりにズレた位置に設定されている。そして、保持部１１、１１ａにそれぞれ電線側コネクター４１、４２を保持した状態で、押圧部１４の中央がピン配列方向の重心Ｇとなる。換言すると、保持部１１、１１ａにそれぞれ電線側コネクター４１、４２を保持した状態で、押圧部１４の中央がピン配列方向の重心Ｇとなるように、コネクターホルダー２０の重量分布が設定されている。これにより、押圧部１４に加えた押圧力を、保持部１１、１１ａにそれぞれ保持した電線側コネクター４１、４２に対してそれぞれ均等に押圧力を作用させることができる。
【００２４】
（第３の実施の形態）
第３の実施の形態のコネクターホルダー３０は、図５及び図６を参照すると、保持部１１と、２か所の保持部１１ａとを備え、保持部１１に電線側コネクター４１を、２か所の保持部１１ａに２個の電線側コネクター４２をそれぞれ保持して一体化する。コネクターホルダー３０は、例えば、硬度の高いスチロールやアクリル等のプラスチックで構成される。
【００２５】
図６において、（ａ）はコネクターホルダー３０を挿入方向上流側からみた上面図であり、（ｂ）はコネクターホルダー３０を挿入方向及びピン配列方向と直交する幅方向から見た側面図であり、（ｃ）はコネクターホルダー３０を挿入方向下流側からみた下面図である。
【００２６】
保持部１１と２か所の保持部１１ａとは、ピン配列方向に間隔をおいて配置され、保持部１１と２か所の保持部１１ａとに挟まれた上面が、挿入方向に対して垂直な平面からなる押圧部１４となっている。
【００２７】
これにより、保持部１１に保持した電線側コネクター４１と２か所の保持部１１ａに保持した２個の電線側コネクター４２との間に位置する押圧部１４に押圧力を加えることで、３個の電線側コネクター４１、４２を図示しない３個の基板側コネクターに同時に挿入することができ、作業性の向上となる。なお、押圧部１４を挿入方向に対して垂直な平面で構成することで、ロボットを利用しての挿入に際して、力を加えやすくなっている。
【００２８】
また、電線側コネクター４１、４２を保持していない状態において、コネクターホルダー３０の重量分布は、２個の電線側コネクター４２よりも１個の電線側コネクター４１が軽いため、図６（ａ）に示すように、ピン配列方向の重心Ｇ０がピン配列方向の中央から保持部１１よりにズレた位置に設定されている。これにより、そして、保持部１１、１１ａにそれぞれ電線側コネクター４１、４２を保持した状態で、押圧部１４の中央がピン配列方向の重心Ｇとなる。換言すると、保持部１１、１１ａにそれぞれ電線側コネクター４１、４２を保持した状態で、押圧部１４の中央がピン配列方向の重心Ｇとなるように、コネクターホルダー３０の重量分布が設定されている。
【００２９】
これにより、押圧部１４に加えた押圧力を、保持部１１、１１ａにそれぞれ保持した電線側コネクター４１、４２に対してそれぞれ均等に押圧力を作用させることができる。
【００３０】
なお、上述の実施の形態では、押圧部１４を平面で構成したが、図７に示すように、押圧部１４の中央に凹部１４ａを形成しても良い。凹部１４ａは、押圧部１４を押圧するロボットハンド４０の先端が嵌り込む形状に形成される。例えば、図７に示すように、ロボットハンド４０の先端が球体である場合には、凹部１４ａは、半球状や球欠状に形成する。これにより、ロボットハンド４０の位置が多少ズレていても、先端が傾斜によって凹部１４ａに誘導され、ロボットハンド４０によって正確な位置で押圧部１４を押圧することができる。
【００３１】
また、コネクターホルダーに保持する電線側コネクターは、４個以上であっても良い。さらに、１列構成の電線側コネクター４１、４２を保持する例について説明したが、保持する電線側コネクターは、２列以上の構成であっても良い。
【００３２】
以上説明したように、本実施の形態によれば、複数の電線側コネクター４１、４２を保持して一体化するコネクターホルダー１０、２０、３０であって、下面側に形成され、電線側コネクター４１、４２の電線側端部が嵌合される複数の保持部１１、１１ａを具備し、保持部１１、１１ａは、保持する電線側コネクター４１、４２のピン配列方向に間隔をおいて配置され、保持部１１、１１ａに挟まれた上面が、押圧部１４として挿入方向に対して垂直な平面に形成されている。
この構成により、押圧をかけるスペースとして押圧部１４を確保した状態で、複数の電線側コネクター４１、４２を保持して一体化することができる。
【００３３】
さらに、本実施の形態において、同一種類の電線側コネクター４１を保持する２か所の保持部１１を具備し、押圧部１４の中央がピン配列方向の重心Ｇになっている。
この構成により、押圧部１４に加えた押圧力を、２か所の保持部１１にそれぞれ保持した電線側コネクター４１に対してそれぞれ均等に押圧力を作用させることができる。
【００３４】
さらに、本実施の形態において、第１電線側コネクター（電線側コネクター４１）を保持する第１保持部（保持部１１）と、第１電線側コネクターとは重さが異なる第２電線側コネクター（電線側コネクター４２）を保持する第２保持部（保持部１１ａ）とを備えている。
この構成により、異なる種類の電線側コネクターを保持して一体化することができる。
【００３５】
さらに、本実施の形態において、第１保持部（保持部１１）に第１電線側コネクター（電線側コネクター４１）を、第２保持部（保持部１１ａ）に第２電線側コネクター（電線側コネクター４２）をそれぞれ保持した状態で、押圧部１４の中央がピン配列方向の重心Ｇとなるように重量分布が設定されている。
この構成により、押圧部１４に加えた押圧力を、保持部１１、１１ａにそれぞれ保持した電線側コネクター４１、４２に対してそれぞれ均等に押圧力を作用させることができる。
【００３６】
さらに、本実施の形態において、電線側コネクター４１、４２を保持する３か所以上の保持部１１、１１ａを具備し、保持部１１、１１ａに電線側コネクター４１、４２をそれぞれ保持した状態で、押圧部１４の中央がピン配列方向の重心Ｇとなるように重量分布が設定されている。
この構成により、押圧部１４に加えた押圧力を、３か所以上の保持部１１、１１ａにそれぞれ保持した電線側コネクター４１、４２に対してそれぞれ均等に押圧力を作用させることができる。
【００３７】
さらに、本実施の形態において、挿入方向の厚さによって、前記押圧部の中央がピン配列方向の重心となるように重量分布が設定されている。
この構成により、重量分布の設定を簡単に行うことができる。
【００３８】
さらに、本実施の形態において、押圧部１４には、押圧部１４を押圧するロボットハンド４０の先端が嵌り込む凹部１４ａが形成されている。
この構成により、ロボットハンド４０の位置が多少ズレていても、先端が傾斜によって凹部１４ａに誘導され、ロボットハンド４０によって正確な位置で押圧部１４を押圧することができる。
【００３９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４０】
１０、２０、３０  コネクターホルダー
１１  保持部
１１ａ  保持部
１２  額部
１３  開口
１４  押圧部
１４ａ  凹部
４０  ロボットハンド
４１、４２  電線側コネクター
【図１】
2019204688.tif 000003
【図２】
2019204688.tif 000004
【図３】
2019204688.tif 000005
【図４】
2019204688.tif 000006
【図５】
2019204688.tif 000007
【図６】
2019204688.tif 000008
【図７】
2019204688.tif 000009